(57)【要約】【課題】従来床の全面に設置していた足場を減少し、仮置き領域の一部の設置とすることにより、足場材料の削減を図り、また配管材等機器材料の搬入および仮置きの際に、仮置き領域から足場を配管材に対して避けるように移動させて足場の一次撤去、再設置等を不要とし、従来必要としていた多数の足場物量を減少し、足場の撤去や盛り替えの少ない量で建屋内に足場を設置し、工程の短縮および工数削減に大きく寄与する。【解決手段】建屋設置用床に側壁および天井壁を建設するための仮設足場であり、床２の上に側壁に沿う軌道３を設けるとともに、仮設足場７の下端部にローラ６を設け、このローラを介して仮設足場を軌道に沿って移動可能に搭載する。【選択図】  図１
2010037790.tif 000002
【特許請求の範囲】
【請求項１】
建屋設置用床に側壁および天井壁を建設するための仮設足場であって、前記床の上に前記側壁に沿う軌道を設けるとともに、前記仮設足場の下端部にローラを設け、このローラを介して前記仮設足場を前記軌道に沿って移動可能に搭載したことを特徴とする建設用移動足場。
【請求項２】
建屋設置用床に側壁および天井壁を建設するための仮設足場であって、前記側壁の表面に軌道を設けるとともに、前記仮設足場の側部にローラを設け、このローラを介して前記仮設足場を前記軌道に沿って移動可能に搭載したことを特徴とする建設用移動足場。
【請求項３】
前記軌道を、前記建屋設置用床もしくは側壁に設けたレール、または前記建屋設置用床もしくは側壁に設けた溝とした請求項１または２記載の建設用移動足場。
【請求項４】
前記仮設足場における足場板支持枠の下端部を床側に向って次第に立上る傾斜状に構成し、この傾斜状の部位の下方を機材設置用スペースとして形成した請求項１ないし３のいずれか１項記載の建設用移動足場。
【請求項５】
前記仮設足場を建屋設置用床上の互いに対向する側壁上に渡し材を搭載し、この渡し材を、その上方に配置されるデッキプレート中心位置での上部作業床とした請求項１ないし４のいずれか１項記載の建設用移動足場。
【請求項６】
前記建屋設置用の側壁に設けたレールを、当該側壁付近に配置される配管その他の機器の支持具とする請求項３ないし５のいずれか１項記載の建設用移動足場。
【発明の詳細な説明】
【技術分野】
【０００１】
本発明は原子力発電プラント、火力発電プラントその他各種の建屋建設工事に適用する足場に係り、特に工事領域での移動を可能として建築側と機電側との作業交換の調整や工具物量を低減し、工期短縮等が図れる建設用移動足場に関する。
【背景技術】
【０００２】
図７ないし図１０を参照して、原子力プラント建設等に適用される足場構造の従来技術を例として説明する。
【０００３】
図７はコンクリート建屋の側壁部を建設する際に使用する足場の設置状態を示す足場全体の構成図（斜視図）であり、図８は図７の縦断面図である。
【０００４】
図７および図８に示すように、コンクリート建屋を構成する側壁部１０１は、幅広い縦壁としてコンクリート床１０２の上に構築される。この幅広い側壁部１０１となる領域には、コンクリート打設用の所定高さおよび幅をもつ型枠１０３が互いに対向する配置で仮設される。
【０００５】
各型枠１０３の間には鉄筋１０４が設置され、型枠１０３間の隙間の鉄筋１０４部位にコンクリート１０５が打設され、側壁部１０１がコンクリート床１０２上に構築される。
【０００６】
この作業用のため、従来では、型枠１０３の幅方向に沿って複数体の足場１１０が互いに隣接して配置される。
【０００７】
ところで、原子力発電プラントの建設工事においては、建築側の作業とともに、大口径配管等をクレーンによって搬入する機電側作業が必要である。
【０００８】
そして、図９に示すように、搬入建屋内の所定領域の天井壁を施工する前に、足場１１０を一旦取外した状態として、側壁部１０１の内側に、機電側にて大口径の配管材１１１等をクレーンによって先行搬入する。
【０００９】
通常の作業においては、この搬入作業に際して、建築側による壁工事用の足場が干渉するため、足場は一部撤去されたり、全部解体されて搬出されたりする工程があり、先行搬入後において、再び天井工事用の足場を搬入して組立てる作業が行われている。
【００１０】
建築側にてコンクリート１０５が固まった後には、再び足場の設置利用により型枠１０３の撤去を行う。そして、建築側が型枠１０３を撤去した後、機電側にて先入れ配管材１１１を先行搬入および仮置きする。
【００１１】
配管材１１１を搬入した後には、図１０に示すように、当該領域の天井壁を施工するため、建築側にて再度当該領域の足場１１０を建築側にて据付け、天井壁としてのデッキプレート１１２と側壁部１１３とを結合する施工を行う。
【００１２】
なお、原子力発電プラント建設についての足場について、従来では種々の提案が行われている。例えば、原子力発電プラント、火力発電所等のプラントの建屋建設に係る吊足場の工法として、当該床工事終了後搬入し、既に施工されている天井壁とブラケットを設け、チェーンで足場設置する工法等が知られている（例えば特許文献１，２等参照）。
【特許文献１】特開２００５−９０１６０号公報
【特許文献２】特開平９−６０２９０号公報
【発明の開示】
【発明が解決しようとする課題】
【００１３】
原子力発電プラントの建屋は部屋空間（平面積、高さ）に対し、大口径の配管が多数配置され、先入れ配管材の搬入、養生作業等に多くの時間を費やすことになる。そのため、目的とする配管材（先入れ範囲）の搬入、養生作業を実施する場合、壁施工用の足場の解体、復旧工事も多数発生し、搬入作業に合せて期間を費やすことになる。
【００１４】
この結果、建物工事の工程が遅延要素となり、目的とする工程を確保することができない場合がある。
【００１５】
本発明はこのような事情に鑑みてなされたものであり、二度手間となるような足場を掛ける作業や払い出し作業工程等の余分な工程を省略して、作業時間を短縮することができ、かつ建築側と天井工事との調整業務量も低減することができるプラント等の建設用移動足場を提供することを目的とする。
【課題を解決するための手段】
【００１６】
前記の目的を達成するため、本発明では、建屋設置用床に側壁および天井壁を建設するための仮設足場であって、前記床の上に前記側壁に沿う軌道を設けるとともに、前記仮設足場の下端部にローラを設け、このローラを介して前記仮設足場を前記軌道に沿って移動可能に搭載したことを特徴とする建設用移動足場を提供する。
【００１７】
また、本発明では、建屋設置用床に側壁および天井壁を建設するための仮設足場であって、前記側壁の表面に軌道を設けるとともに、前記仮設足場の側部にローラを設け、このローラを介して前記仮設足場を前記軌道に沿って移動可能に搭載したことを特徴とする建設用移動足場を提供する。
【００１８】
本発明において、前記軌道は、建屋設置用床もしくは側壁に設けたレール、または建屋設置用床もしくは側壁に設けた溝とすることが望ましい。
【００１９】
また、本発明において、仮設足場における足場板支持枠の下端部を床側に向って次第に立上る傾斜状に構成し、この傾斜状の部位の下方を機材設置用スペースとして形成することが望ましい。
【００２０】
また、本発明において、仮設足場を建屋設置用床上の互いに対向する側壁上に渡し材を搭載し、この渡し材を、その上方に配置されるデッキプレート中心位置での上部作業床とすることが望ましい。
【００２１】
また、本発明では、建屋設置用の側壁に設けたレールを、当該側壁付近に配置される配管その他の機器の支持具とすることが望ましい。
【発明の効果】
【００２２】
本発明によれば、壁を従来通りの足場構造を基本におき、壁、床等に軌道を設け、足場自体を軌道上で移動させるようにすることで、従来床の全面に設置していた足場を減少し、仮置き領域の一部の設置とすることにより、足場材料の削減を図ることができる。
【００２３】
また、配管材等機器材料の搬入および仮置きの際に、仮置き領域から足場を配管材に対して避けるように移動させることで、足場の一次撤去、再設置等を不要とすることができる。
【００２４】
したがって、本発明によれば、従来必要としていた多数の足場物量を減少することができ、また、足場の撤去や盛り替えの少ない量で建屋内に足場を設置することができ、工程の短縮および工数削減に大きく寄与することができる。
【発明を実施するための最良の形態】
【００２５】
以下、図１ないし図６を参照して、本発明に係る建設用移動足場の実施形態について原子力プラント建設用移動足場を例として説明する。
【００２６】
図１は、本発明の一実施形態による移動足場の構成を示す全体斜視図である。
【００２７】
図１に示すように、本実施形態の移動足場１を構成する仮設足場７は、建屋用の床２上に建設される側壁部１０１に沿って配置された軌道としてのレール３上に搭載されている（以下、このレールを「床レール３」という。）。この床レール３は、側壁部１０１に沿う型枠１０３の略全体幅に亘って床２上に延在している。
【００２８】
また、床レール３の上方の側壁部１０１には、例えば上下２段のレール４，５が床レール３と平行に配置されている（以下、レール４を「下側レール４」といい、レール５を「上側レール５」という。）。
【００２９】
仮設足場７は、これらの床レール３、下側レール４および上側レール５に、それぞれローラ６を介して支持されている。
【００３０】
すなわち、本実施形態の移動足場１は、床２の上に設けられて側壁部１０１に沿う軌道としての下レール４と、仮設足場７の下端部に設けられたローラ６とを備えており、これらのローラ６を介して仮設足場７を床レール３に沿う方向（図示矢印ａ方向）に移動可能に搭載した構成となっている。そして、この移動足場１は、図１に実線で示した手前側と、仮想線で示した奥側との間で移動することができる。
【００３１】
仮設足場７の最下端部における支持部材１２の下端部１２ａの内側は、上向きに傾斜する形状となっており、この傾斜状の下端部１２ａ部位の下方空間は配管材を配置可能な空間となっている。これにより、支持部材１２の下方空間は機材設置用スペース、すなわち増量スペース１３ａとして利用することができ、全体スペース１３の下部を拡大している。
【００３２】
図２は、図１に示した移動足場としての仮設足場７を拡大して示す側面図であり、図３は図２の側面図である。
【００３３】
これらの図２および図３に示すように、建屋用床２の上面には側壁部１０１に沿う軌道として、床レール３と、図示省略の上記下側レールと、上側レール５とが敷設されている。
【００３４】
また、仮設足場７の下端部には下側ローラ保持部材８が設けられている。この下側ローラ保持部材８には軸９を介して下側ローラ６ａが取付けてあり、この下側ローラ６ａが床レール３に搭載されている。
【００３５】
また、仮設足場７の上側には、上下１対の上側ローラ保持部材６ｂ，６ｂがそれぞれ縦向きの軸１１で支持されて水平方向で回転可能に設けられており、これらの上側ローラ保持部材６ｂ，６ｂが、側壁部１０１に設けられた上側レール５に対して上下方向から挟む配置で設けられ、側方から離脱することなく保持されている。
【００３６】
この構成により、仮設足場７は下側ローラ６ａおよび上側ローラ６ｂ，６ｂを介して各レール３，５に沿って移動することができる。
【００３７】
図４は、仮設足場７の上端部に渡し材１４を架設した状態を示している。この図４に示すように、建築側が側壁部１０１を施工した後には、従来の方法を適用して建築側において配管材１６の搬入・仮置きに支障が無いように架設足場７を一旦撤去させた後、再び架設足場７を設置することにより、増量スペース１３ａを含む材料設置用スペース１３のところまで配管材１６の仮置きすることができる。
【００３８】
また、先入れの配管材１６の搬入・仮置きが完了した後には、デッキプレート１７を側壁部１０１の上に設置し、一旦撤去した架設足場７を設置させ、側壁部１０１とデッキプレート１７との結合作業を行う。架設足場７は移動できるため、デッキプレート１７と側壁部１０１とを結合させる箇所に移動させればよい。
【００３９】
また、デッキプレート１７の中央で配管サポートの取付けを行う場合には、架設足場７に渡し材１４を載せればよく、これによりデッキプレート１７の中央で作業を行うことができるようになる。また、渡し材１４の上には配管材１６も仮置きすることができる。
【００４０】
なお、本実施形態で適用する工法は、先行足場の設置までは従来工法と略同じであるが、設置する足場を移動できるようにローラ６とレール３，４，５を取付けることにより、従来工法で計画された作業量よりも少なくすることができる。また、架設足場７の解体範囲も少なくするものとなる。
【００４１】
また、本実施形態の架設足場７は、図３および図４に示したように、架設足場７の足に床２側と側壁部１０１側にローラ６を取付け、側壁部１０１と床２にレール３，４を取付け、また図２に示したように、架設足場７を当該領域の側壁部１０１沿いに移動させることができる。
【００４２】
また、本実施形態によれば、移動足場１を設置することにより、増量スペース１３ａのところまで配管材１６を仮置きすることができる。
【００４３】
図５は、本発明の他の実施形態を示している。この図５に示すように、床２に側溝１２０がある場合には、この側溝１２０を下部側の軌道として、側壁部１０１側の上側レール５等に沿って走行させることができる。すなわち、側溝１２０をレールの代替とすることができる。
【００４４】
図６は、さらに他の実施形態を示している。この図６に示す実施形態では、側壁部１０１に取付けたレール５と、架設足場撤去後に取付けた機器２０と、クランプ１９とを結合する構成としている。これにより、レール５を配管１８のサポートとして利用することができる。
【００４５】
なお、本発明においては、配管１８として、流体送給用配管に限らず、電線管その他種々の配管を適用することができる。
【００４６】
本実施形態の足場を用いた工法によると、従来工法に比べて配管材の先入れ時に実施していた建築側工事で実施する架設足場の解体工事、復旧工事の工数を削減することができる。また、架設足場の設置面積が減少するため、増量されたスペースまで配管材を仮置きすることができ、スペース利用も拡大することができる。
【００４７】
以上のように、本発明によれば、壁を従来通りの足場構造を基本におき、壁、床等に軌道を設け、足場自体を軌道上で移動させるようにすることで、従来床の全面に設置していた足場を減少し、仮置き領域の一部の設置にすることにより足場材料の削減を図ることができる。
【００４８】
また、配管材等機器材料の搬入および仮置きの際、仮置き領域から足場を配管材に対して避けるように移動させることで、足場の一次撤去、再設置等を不要とすることができる。
【００４９】
したがって、本発明によれば、従来必要としていた多数の足場物量を減少することができ、また、足場の撤去や盛り替えの少ない量で建屋内に足場を設置することができ、工程の短縮および工数削減に大きく寄与することができる。
【図面の簡単な説明】
【００５０】
【図１】本発明の一実施形態による移動足場の構成を示す全体斜視図。
【図２】本発明の一実施形態による移動足場となる領域を示す拡大図。
【図３】本発明の一実施形態による移動足場を示す側面図。
【図４】本発明の一実施形態による移動足場の横断面を示す詳細図。
【図５】本発明の他の実施形態による移動足場の縦断面を示す詳細図。
【図６】本発明のさらに他の実施形態による移動足場のレールを後利用した状態を示す縦断面図。
【図７】従来例による足場構成を示す斜視図。
【図８】従来例による足場構成を示す縦断面図。
【図９】従来例による配管材仮置き状態を示す断面図。
【図１０】従来例による足場設置構成を示す説明図。
【符号の説明】
【００５１】
１‥移動足場、２‥建屋用床、３‥床レール、４‥下側レール、５‥上側レール、６‥ローラ、７‥仮設足場、８‥下側ローラ保持部材、９‥軸、１０‥アーム、１１‥（縦向きの）軸、１２‥支持部材、１２ａ‥下端部、１３‥スペース、１３ａ‥増量スペース、１４‥渡し材、１６‥配管材、１７‥デッキプレート、１８‥配管、１９‥クランプ、１０１‥側壁部、１０２‥コンクリート床、１０３‥型枠、１０４‥鉄筋、１０５‥コンクリート、１１０‥足場１１１‥配管材、１１２‥デッキプレート、１２０‥側溝。
【図１】
2010037790.tif 000003
【図２】
2010037790.tif 000004
【図３】
2010037790.tif 000005
【図４】
2010037790.tif 000006
【図５】
2010037790.tif 000007
【図６】
2010037790.tif 000008
【図７】
2010037790.tif 000009
【図８】
2010037790.tif 000010
【図９】
2010037790.tif 000011
【図１０】
2010037790.tif 000012